(57)【要約】【課題】ローラーの突出量を調節しても、そのローラーの押し込む力が一定で、しかもローラー移動方向の寸法が小さなローラーラッチを備えた建具とする。【解決手段】建具枠１に戸２を開き位置と閉じ位置に回動自在に取付け、その戸２の縦框２２に取付けたローラーラッチ５のローラー５ａを縦枠１２の内面１２ａに押しつけて戸を閉じ位置に保持するようにし、前記ローラーラッチ５は、本体３０に対してローラー支持部材３１を第１ばね３２で突出方向に付勢してローラー５ａを突出させ、この第１ばね３２を支持するばね受３３を調節用ボルト３４で移動可能とし、そのばね受３３を第２ばね３５で保持したもので、前記ばね受３３を移動しても第１ばね３２の取付け長さが一定で、ローラー５ａの押し込み力が一定となると共に、第１ばね３２と第２ばね３５がローラー５ａの移動方向と直角方向に離隔して並設することでローラー移動方向の寸法を小さくできる。【選択図】図４
2007113221.tif 000002
【特許請求の範囲】
【請求項１】
建具枠に戸を開き位置と閉じ位置に亘って回動自在に取付け、その戸に取付けたローラーラッチのローラを、建具枠の内面に押しつけることで戸を閉じ位置に保持する建具において、
前記ローラーラッチは、前記戸に取付ける本体と、前記ローラーを回転自在に支承したローラー支持部材と、このローラー支持体を一方向に移動付勢してローラーを本体から突出させる第１ばねと、この第１ばねを支持するばね受と、前記本体からばね受けに螺合し、回転することで本体に対してばね受を移動する調節用ボルトと、前記本体とばね受との間に設けられてばね受を保持する第２ばねを備え、
前記第１ばねと第２ばねはローラー移動方向と直角方向に離隔して並設してあることを特徴とする建具。
【請求項２】
本体の長手方向中間部に開口、長手方向両側部に透孔をそれぞれ有し、
前記本体の開口からローラー支持部材がローラーとともに突出し、
前記本体の各透孔から調節用ボルトをばね受にそれぞれ螺合し、その各調節用ボルトで第２ばねをそれぞれ支承し、
前記各調節用ボルトが前記ローラー支持部材を境として両側方に位置し、
前記各第２ばねが第１ばねを境として両側方に位置するようにした請求項１記載の建具。
【請求項３】
本体の開口に非金属材のガイドプレートを設け、このガイドプレートに沿ってローラー支持部材が移動するようにした請求項２記載の建具。
【請求項４】
本体にアタッチメントを着脱自在に取付け、このアタッチメントは本体と直交し、かつローラー支持部材、調節用ボルトと干渉しない取付用プレートを有する請求項１又は２又は３記載の建具。
【発明の詳細な説明】
【技術分野】
【０００１】
本発明は、建物の出入口、窓などの開閉自在な開口部を構成する建具に関する。
【背景技術】
【０００２】
建具としては、玄関ドア、浴室ドア、室内ドア等や、開き窓等のように、建具枠に戸を開き位置と閉じ位置とに亘って回動自在に取付けたものが知られている。
前述した建具においては、その戸に取付けたローラーラッチで戸を閉じ位置で保持することがある。
前述のローラーラッチとしては特許文献１に開示したように、ローラーをばねで突出付勢して設けると共に、そのばねを支持する部材を移動調節自在としてローラーの突出量を調節できるようにしたものが知られている。
このようなローラーラッチであれば、戸を閉じ位置とすることでローラーがばねによって建具枠の内面に押しつけられて戸を閉じ位置で保持する。戸の外面と建具枠の内面との間の隙間の大きさが異なる場合にはそのばねを支持する部材を移動調節することでローラーの突出量を調節すれば、ローラーを建具枠の内面に正しく押しつけて戸を閉じ位置で保持できる。
【０００３】
【特許文献１】実公昭３４−１００９９号公報
【発明の開示】
【発明が解決しようとする課題】
【０００４】
前述した特許文献１に開示されたローラーラッチは、ローラーを突出付勢する第１のばねと、ローラーを支持した部材（支片）を保持する第２のばねがローラーの移動方向に並設してあるので、ローラーラッチ全体のローラー移動方向の寸法が大きい。このために、例えば、ローラーラッチを戸の框に取付けた場合には、その框を大きくしなければならない。
【０００５】
また、螺軸は、基板から第１、第２のばねを貫通してケースに回転自在に支承してあり、その螺軸を一方向に回転することで第１のばねが圧縮、第２のばねが伸びてローラーの突出量が小さくなると共に、螺軸を他方向に回転することで第２のばねが圧縮、第１のばねが伸びてローラーの突出量が大きくなるので、ローラーの突出量を調節すると、そのローラーを押し込める力の大きさが異なってしまう。
このために、戸を開閉する際の操作感覚が変化してしまう。
【０００６】
本発明の目的は、戸の外面と建具枠の内面との間の隙間の大きさが異なる場合には、ローラーラッチのローラーの突出量を調節してローラーを建具枠の内面に正しく押しつけて戸を閉じ位置で保持できると共に、ローラーラッチのローラー移動方向の寸法を小さくでき、例えば小さな框にも取付けでき、さらには、ローラーの突出量を調節してもローラーを押し込める力の大きさを同一として戸を開閉する際の操作感覚を同一にできるようにした建具とすることである。
【課題を解決するための手段】
【０００７】
本発明は、建具枠に戸を開き位置と閉じ位置に亘って回動自在に取付け、その戸に取付けたローラーラッチのローラを、建具枠の内面に押しつけることで戸を閉じ位置に保持する建具において、前記ローラーラッチは、前記戸に取付ける本体と、前記ローラーを回転自在に支承したローラー支持部材と、このローラー支持体を一方向に移動付勢してローラーを本体から突出させる第１ばねと、この第１ばねを支持するばね受と、前記本体からばね受に螺合し、回転することで本体に対してばね受を移動する調節用ボルトと、前記本体とばね受との間に設けられてばね受を保持する第２ばねを備え、前記第１ばねと第２ばねはローラー移動方向と直角方向に離隔して並設してあることを特徴とする建具である。
【０００８】
本発明においては、本体の長手方向中間部に開口、長手方向両側部に透孔をそれぞれ有し、前記本体の開口からローラー支持部材がローラーとともに突出し、前記本体の各透孔から調節用ボルトをばね受にそれぞれ螺合し、その各調節用ボルトで第２ばねをそれぞれ支承し、前記各調節用ボルトが前記ローラー支持部材を境として両側方に位置し、
前記各第２ばねが第１ばねを境として両側方に位置するようにできる。
【０００９】
このようにすれば、ばね受が２つの調節用ボルトと２つの第２ばねで安定して保持され、その各調節用ボルトを締付け、弛めることでばね受がスムーズに移動するから、ローラー支持部材をスムーズに移動してローラーの突出量を容易に調節できる。
【００１０】
本発明においては、前述のようにした場合には、その本体の開口に非金属材のガイドプレートを設け、このガイドプレートに沿ってローラー支持部材が移動するようにできる。
【００１１】
このようにすれば、本体とローラー支持部材が金属であっても、そのローラー支持部材は非金属材のガイドプレートに接するから、金属接触することがない。
【００１２】
本発明においては、本体にアタッチメントを着脱自在に取付け、このアタッチメントは本体と直交し、かつローラー支持部材、調節用ボルトと干渉しない取付用プレートを有するものにできる。
【００１３】
このようにすれば、本体を框にビス止めして取付けしたり、アタッチメントの取付用プレートを框にビス止めして取付けできるから、框の見込み寸法に応じてローラーラッチを強固に取付けることが可能である。
【発明の効果】
【００１４】
本発明によれば、調節用ボルトを締付け、弛め操作することで、ばね受が第２ばねを圧縮、伸びして本体に接近する方向、離れる方向に移動し、そのばね受の移動によってローラー支持部材が移動してローラーの本体からの突出量を調節できる。
したがって、戸の外面と建具枠の内面との間の隙間の大きさが異なる場合には、ローラーラッチのローラーの突出量を調節してローラーを建具枠の内面に正しく押しつけて戸を閉じ位置で保持できる。
また、ローラーを突出付勢する第１ばねとばね受を保持する第２ばねは、ローラーの移動方向と直角方向に離隔して並設しているので、本体とばね受との間の寸法が小さく、ローラーラッチのローラー移動方向の寸法を小さくできる。
したがって、ローラーラッチを框に取付けるようにした場合には、小さな框に取付けできる。
また、調節用ボルトを操作してばね受を移動した時に、第１ばねの取付け長さが一定であるから、ローラーの突出量を調整してもローラーを押し込める力の大きさが同一で、戸を開閉する際の操作感覚を同一にできる。
【発明を実施するための最良の形態】
【００１５】
図１に示すように、建具枠１に戸２を開き位置と閉じ位置に亘って回動自在に取付けて建具３を構成している。
前記建具枠１は、上枠１０と下枠１１と一方の縦枠１２と他方の縦枠１３を方形状に連結してある。
前記戸２は、上框２０と下框２１と一方の縦框２２と他方の縦框２３を方形状に連結し、その内部にガラス、プレートなどの面材２４が装着してある。
前記戸２の面内方向他側部、例えば他方の縦框２３と上枠１０、下枠１１がヒンジ４で面外方向（矢印ａ方向）に回動自在に連結され、戸２は、そのヒンジ４を支点として面外方向に回動して閉じ位置と開き位置に亘って回動する。
この実施の形態は浴室ドアを示し、図２に示すように、浴室側に向けて回動して開き位置となる。
【００１６】
前記戸２の框、例えば一方の縦框２２にローラーラッチ５が取付けてある。前記戸２を開き位置から閉じ位置に向けて回動して閉じ位置とすると、前記ローラーラッチ５のローラー５ａが建具枠１の内面１ａ、例えば一方の縦枠１２の内面１２ａに押しつけられて戸２を閉じ位置に保持する。
この実施の形態では、一方の縦枠１２の内面１２ａにラッチ受け６が取付けてある。このラッチ受け６は円形凹部６ａを有し、この円形凹部６ａにローラーラッチ５のローラー５ａが嵌合するように押しつけられる。
【００１７】
前記ローラーラッチ５は、図３〜図６に示すように、本体３０と、ローラー支持部材３１と、このローラー支持部材３１を一方向に移動付勢する第１ばね３２と、この第１ばね３２を支持するばね受け３３と、このばね受け３３を移動する調節用ボルト３４と、前記本体３０とばね受け３３との間に設けてばね受３３をガタつかないように保持する第２ばね３５を備えている。
前記ローラー５ａがローラー支持部材３１に回転自在に支承され、そのローラー支持部材３１は第１ばね３２で押されて本体３０の一側面３０ａから突出している。
前記調節用ボルト３４は本体３０の透孔３０ｂからばね受３２に螺合されている。前記第２ばね３５でばね受３３が押されることで調整用ボルト３４の頭部３４ａが本体３０（透孔３０ｂ）に押しつけられてばね受３３の位置を規制すると共に、ガタつかないように保持する。
【００１８】
このようであるから、戸２を開き位置から閉じ位置に向けて回動し、ローラー５ａが一方の縦枠１２の内面１２ａ（ラッチ受け６）に接して押されると、第１ばね３２を圧縮してローラー支持部材３１が移動する。この時、ばね受３３は動かない。
そして、第１ばね３２の力でローラー５ａを縦枠１２の内面１２ａに押しつけて戸２を閉じ位置で保持する。
【００１９】
また、戸２の外面、例えば一方の縦框２２の外面と建具枠１の内面１ａ、例えば一方の縦枠１２の内面１２ａとの間の隙間の大きさが大きくなった時には、図４に示す状態から調節用ボルト３４を締付け方向に回転操作すると、ばね受３３が第２ばね３５を圧縮して本体３０に接近する方向に移動する。
これによって、ローラー支持部材３１が第１ばね３２を介して本体３０の一側面３０ａ方向に向けて移動し、図５に示すようにローラー５ａの突出量が図４に示す状態よりも大きくなる。
なお、前述の隙間が小さい場合には、調節用ボルト３４を弛め方向に回転操作してばね受３３を、第２ばね３５で本体２０から離れる方向に移動し、ローラー支持部材３１とともにローラー５ａを移動して突出量を小さくする。
【００２０】
前述のように、ローラー５ａの突出量が大きくなっても、小さくなっても、第１ばね３２が圧縮されたり、伸びたりすることがない。つまり、図４に示す状態でも図５に示す状態でも第１ばね３２の取付長さが一定である。
したがって、ローラー５ａを押し込める力の大きさは常に一定であり、戸を開閉する際の操作感覚を同一にできる。
【００２１】
また、第１ばね３２と第２ばね３５はローラー５ａの移動方向と直角方向に離隔して並設されているので、本体３０とばね受３３との間の寸法、つまり、ローラーラッチ５ａの移動方向の寸法が小さい。
したがって、小さな框にも取付けできる。
【００２２】
前記ローラーラッチ５は、図３に示すように一方の縦框２２の中空部２２ａ内に取付けてあり、そのローラー５ａが一方の縦框２２の外壁２２ｂに形成し開口２２ｃから外面２２ｄよりも突出するようにしてある。
この実施の形態では本体３０にアタッチメント３６を着脱自在に固着し、そのアタッチメント３６を一方の縦框２２の面外方向の一側壁２２ｅにビス３７で固着してある。
このようにすることで、一方の縦框２２の面外方向の寸法（見込み寸法）が小さく、本体３０の見込み寸法が小さくなってローラー５ａを境とした見込み方向両側部にビス止めのスペースが確保できない場合でも、本体３０をアタッチメント３６を介してローラー５ａの近くで一方の縦框２２にビス止めして固着できるから、ローラーラッチ５を強固に取付けできる。
つまり、ローラーラッチ５にはローラー５ａ部分に大きな力が作用するので、そのローラー５ａの近くでビス止めすることで強固に取付けできる。
【００２３】
なお、一方の縦框２２の見込み寸法が大きく、本体３０の見込み寸法を大きくできれば、この本体３０のローラー５ａを境とした見込み方向両側部からローラーと干渉しないようにビスで固着して取付けできるから、前述のアタッチメント３６を用いなくとも良い。
【００２４】
次に、各部材の具体形状を説明する。
前記本体３０は板状で、その長手方向中央部に開口３０ｃが形成され、この開口３０ｃをローラー支持部材３１がローラー５ａとともに挿通する。
前記本体３０の開口３０ｃを境とした長手方向一側寄りと他側寄りに前記透孔３０ｂ、取付用孔３０ｄがそれぞれ形成されている。この透孔３０ｂ、取付用孔３０ｄは皿穴形状である。
前記本体３０の他側面３０ｅには一対のガイドプレート３８が設けてある。このガイドプレート３８は前記本体３０の開口３０ｃの長手方向半分に嵌まり合う厚肉部３８ａを有し、この厚肉部３８ａに凹部３８ｂが形成され、一対のガイドプレート３８の凹部３８ｂによって前記ローラー支持部材３１が挿通するガイド孔部を形成する。前記ガイドプレート３８の薄肉部には孔３８ｃが形成してある。
この一対のガイドプレート３８は樹脂、木、ゴムなどの非金属材で、ローラー支持部材３１が移動する際に金属接触しないようにしてある。
【００２５】
前記ローラー支持部材３１はコ字状の枠部３１ａとロッド３１ｂを備え、その枠部３１ａにローラー５ａが支軸３９で回転自在に取付けてある。
前記ばね受３３は板状で、その長手方向中央部に孔３３ａ、長手方向両側部にねじ孔３３ｂを有する。
前記ローラー支持部材３１のロッド３１ｂが第１ばね３２を挿通し、そのロッド３１ｂがばね受３３の孔３３ａに挿通してスナップリング３１ｃで抜け止めされ、その枠部３１ａとばね受３３に第１ばね３２が接する。
前記調節用ボルト３４は、本体３０の透孔３０ｂ、ガイドプレート３８の孔３８ｃを挿通してばね受３３のねじ孔３３ｂに螺合すると共に、その調節用ボルト３４に第２ばね３５が設けてあり、この第２ばね３５はガイドプレート３８とばね受３３に接する。なお、ガイドプレート３８がない場合には第２ばね３５は本体３０に接する。
【００２６】
前記アタッチメント３６は取付けプレート３６ａの幅方向一端部に長手方向一対の連結片３６ｂを設け、その取付けプレート３６ａにねじ孔３６ｃを形成すると共に、連結片３６ｂにねじ孔３６ｄを形成してある。
そして、一対の連結片３６ｂを本体３０の他側面３０ｅに接し、本体３０の取付用孔３０ｄからビス４０を挿通してねじ孔３６ｄに螺合して固着して取付けてある。
前記アタッチメント３６の取付用プレート３６ａは本体３０の見込み方向一側寄りで、かつ本体３０と直交する方向に向かい、一対の連結片３６ｂは本体３０の長手方向両端部寄りであり、このアタッチメント３６はローラー支持部材３１、調節用ボルト３４と干渉しないようにしてある。
【００２７】
以上の実施の形態では浴室ドアについて述べたが、室内ドアや開き窓にも適用することができる。
なお、開き窓の場合にはローラーラッチ５を下框２１に取付けてローラー５ａが下枠１１の内面に接するようにしても良い。
【図面の簡単な説明】
【００２８】
【図１】本発明の実施の形態を示す浴室ドアの正面図である。
【図２】本発明の実施の形態を示す浴室ドアの横断面図である。
【図３】ローラーラッチ取付部の拡大横断面図である。
【図４】ローラーラッチの断面図である。
【図５】ローラーラッチのローラーを移動した状態の断面図である。
【図６】ローラーラッチの分解斜視図である。
【符号の説明】
【００２９】
１…建具枠、２…戸、５…ローラーラッチ、５ａ…ローラー、１２…一方の縦枠、１２ａ…内面、２２…一方の縦框、２２ｄ…外面、３０…本体、３０ａ…一側面、３０ｂ…透孔、３０ｃ…開口、３１…ローラー支持部材、３２…第１ばね、３３…ばね受、３４…調節用ボルト、３５…第２ばね。
【図１】
2007113221.tif 000003
【図２】
2007113221.tif 000004
【図３】
2007113221.tif 000005
【図４】
2007113221.tif 000006
【図５】
2007113221.tif 000007
【図６】
2007113221.tif 000008